(57)【要約】【課題】省スペースにおいて通行に邪魔にならないように、手洗いのみならず、洗顔やうがいなどの使用済みの水が広範囲に散水して廊下等の床に落下しない洗面化粧台を提供する。【解決手段】  壁面２の凹部３に嵌め込んで取付けるケーシング４と、該ケーシング４の室内側面に形成した前面開口部５の上方に設けた蛇口６と、該蛇口６の下方の前記開口部５内に設けた略半球面形状の洗面用ボール７と、該洗面用ボール７の排水口８に連通する排水ダクト９と、を具備した洗面化粧台１において、前記洗面用ボール７が前記前面開口部５内においてその下端側が上方向へ所定角度回転可能なように、前記ケーシング４に回転自在に軸支されると共に前記所定角度回転した位置で回転止めする係止具１０を具備していることを特徴とする。【選択図】図２
2008014071.tif 000002
【特許請求の範囲】
【請求項１】
壁面の凹部に嵌め込んで取付けるケーシングと、
該ケーシングの室内側面に形成した前面開口部の上方に設けた蛇口と、該蛇口の下方の前記開口部内に設けた略半球面形状の洗面用ボールと、該洗面用ボールの排水口に連通する排水ダクトと、
を具備した洗面化粧台において、
前記洗面用ボールが前記前面開口部内においてその下端側が上方向へ所定角度回転可能なように、前記ケーシングに回転自在に軸支されると共に前記所定角度回転した位置で回転止めする係止具を具備していることを特徴とする洗面化粧台。
【請求項２】
前記洗面用ボールの下方側に把手を設けたことを特徴とする請求項１記載の洗面化粧台。
【請求項３】
前記係止具が洗面用ボールの外側面に設けた引掛爪と前記ケーシングに設けた前記引掛爪に着脱自在に係合する被係止材とからなることを特徴とする請求項１又は２に記載の洗面化粧台。
【発明の詳細な説明】
【技術分野】
【０００１】
この発明は、省スペースで手洗いと洗面やうがいなどを行うことができる洗面化粧台に関する。
【背景技術】
【０００２】
この種の従来技術としては、例えば、特許文献１に示される収納式取付用洗面台がある。この収納取付式洗面台は、壁面等に取り付けられる本体フレームと、該本体フレームの両側に取り付けられた側板と、該測板に対して回転自在に取り付けられた回転板と、該回転板に取り付けられた洗面ボールと、該洗面ボールの一部に設けられた排水口と、前記本体フレームに設けられた排水受口とから構成されている。そして、前記回転板を開いた状態において前記洗面ボールの排水口と、前記本体フレームの排水受口とが連結されるようになっている。
【特許文献１】特開２００２−２３５３５４号公報
【発明の開示】
【発明が解決しようとする課題】
【０００３】
しかしながら、上記の従来技術の洗面化粧台は、不使用時には回転板を閉じて壁面からの突出部分をなくしてフラットの状態にできるので、スペースの狭い場所を有効に利用できる利点があるが、使用時には、手洗いのような簡単な使用であってもその都度回転板を開いて回転板に取り付けられている洗面ボールを取り出さなければならないので手数がかかる問題点がある。又、市販されている洗面化粧台としては、図７に示すような半埋め込み形式の洗面化粧台がある。この形式の洗面化粧台１００は、壁面２００の所定高さ位置に形成した凹部に嵌め込まれたケーシング４００の室内側面の前面凹部５００内に円周形の洗面用ボール７００をその前面が突き出すようにしたものである。使用時には、前面凹部５００の上方にある蛇口６００から流れ出る水によって洗面用ボール７００の上方で手洗いし、汚れた水は洗面用ボール７００の底面に形成した排水口から配水管を通じて排出される。この形式の洗面化粧台１００によると、壁面２００からの突出部分が少なく、壁面２００前方のスペースの無い場所において有効に利用できる。しかし、反面において洗顔やうがいをする場合などにおいては、洗面用ボール７００の壁面２００から突出している水平方向面積が少ないので、はね水が床に散ったり、頭が壁面２００にぶつかるなどの不具合が生じるという問題点がある。
【課題を解決するための手段】
【０００４】
この発明は上記事情に鑑みてなされたものであって、その手段とすることろは、請求項１の発明は、壁面の凹部に嵌め込んで取付けるケーシングと、該ケーシングの室内側面に形成した前面開口部の上方に設けた蛇口と、該蛇口の下方の前記開口部内に設けた略半球面形状の洗面用ボールと、該洗面用ボールの排水口に連通する排水ダクトと、を具備した洗面化粧台において、前記洗面用ボールが前記前面開口部内においてその下端側が上方向へ所定角度回転可能なように、前記ケーシングに回転自在に軸支されると共に前記所定角度回転した位置で回転止めする係止具を具備していることにある。請求項２の発明は、前記洗面用ボールの下方側に把手を設けたことにある。請求項３の発明は、前記係止具が洗面用ボールの外側面に設けた引掛爪と前記ケーシングに設けた前記引掛爪に着脱自在に係合する被係止材とからなることにある。
【発明の効果】
【０００５】
上記した請求項１の発明によると、洗面用ボールが前面開口部内においてその下端側が上方向へ所定角度回転できるので、洗顔やうがいをする時には洗面用ボールを水平状態になるように回転移動させて、壁面よりの突出部分を多くして蛇口からの流水で洗顔あるいはうがいをした後の飛散した水を受け止めることができる。これによって、水が床面上へ落下したり、頭を壁面にぶつけるというような不具合を是正することできる。この場合において、係止具によって所定角度で維持できるので両手で洗顔することが可能となる。そして、終了後には元の状態に復帰させれば壁面からの突出部分が少なくなるので、壁面前方のスペースが廊下などの狭小空間である場合であっても、不便なく有効にスペース利用できる。この場合においても、手洗い時には散水も少なく、そのままいつでも使用できる状態を維持できる。
請求項２の発明によると、把手によって洗面用ボールの下方を持ち上げることが容易となる。
請求項３の発明によると、係止具が引掛爪と被係止材とからなるので、着脱が自動的に行え、手数が掛からない。
【発明を実施するための最良の形態】
【０００６】
この発明の最良の実施形態について以下図１乃至５に基づいて説明する。この発明の洗面化粧台１は、図１によく現れているように、建造物の壁面２の凹部３に嵌め込んで取り付けるケーシング４と、該ケーシング４の室内側面に形成した前面開口部５の上方に設けた蛇口６と、該蛇口６の下方の前面開口部５内に設けた略半球面形状の洗面用ボール７と、該洗面用ボール７の底面に設けた排水口８に連通する排水ダクト９とを具備し、且つ、前記洗面用ボール７が前面開口部５内においてその下端側が上方向へ所定角度回転可能なように前記ケーシング４に回転自在に軸支され、しかも、この所定角度回転した位置で回転止めする係止具１０を具備している。
【０００７】
前記ケーシング４は、図１乃至図３に示すように、建造物の軸組１１の室内側に固定した内壁１２の壁面２に開口した凹部３に嵌め込んで使用するもので、外周形状は略四角形を呈し、室内側面には略四角形状の奥行きが内壁１２に厚さとほぼ同等である前面開口部５が形成されており、更にその外周囲には前記凹部３の周囲の壁面２と密着する鍔部１３が形成されている。又、このケーシング４の前面開口部５の上面にはケーシング４の表面に設けている水栓ハンドル１４を回転させることによって出水、出湯する蛇口６が設けられており、この蛇口６の下方で前面開口部５内には洗面用ボール７が所定角度回転可能に設けられている。又、前面開口部５の下面からは室内側へ少し突出した突出部１５が設けられており、この突出部１５の両側上面は石鹸などの物置台１６となっている。
【０００８】
前記洗面ボール７は卵を長手方向に２分割したような長円形略半球面形状をなしており、その分割した凹面を斜め上向くように外周面の上方両側で前記ケーシング４の内側に設けた軸１７によって支持されて回転自在に固定されている。そして、下端側の裏面は前記ケーシング４の突出部１５の中央付近に常時は位置するようにしているので、手洗いする時にはこの状態で前記水栓ハンドル１４を回転させて蛇口６から水や湯を出して手洗いできるようになっている。
又、洗顔や手洗い時には、この洗面用ボール７の下端側の側面に設けた把手１８を握って軸１７を中心に上方へ回転移動可能となるようになっており、且つ、所定角度回転して洗面用ボール７がほぼ水平となると、係止具１０によって係止されて把手１８を離しても水平状態を維持できるようになっている。前記把手１８は必ずしも必要ではなく、洗面用ボール７の縁を手でもって上方へ回転移動させてもよい。前記係止具１０は、洗面用ボール７の軸１７より外側面に設けた弾力性部材からなる引掛爪１９と前記ケーシング４の前面開口部５の上方に設けた被係止材２０を具備している。そして、洗面用ボール７の下端側が上方へ所定位置迄回転移動すると、軸１７より上方に位置している引掛爪１９は下降してその先端に設けた鉤２１が被係止材２０と噛み合って係止され、回転止めされて把手１８から手を離しても洗面用ボール７はほぼ水平状態をそのまま維持する。逆に、洗面用ボール７の傾きを元の状態へ戻す際には、洗面用ボール７の下方側を軽く下方へ押すだけで引掛爪１９がその弾力性によって被係止材２０から外れ、自重によって下端側の裏面が突出部１５の中央に位置し、手洗い専用状態となる。
【０００９】
この洗面用ボール７をケーシング４に固定する軸１７は洗面用ボール７の中心より上方側へ備わっているので、図２に示しているように、洗面用ボール７が回転してもその上方側の奥行き方向への水平移動距離Ｘは下端側の室内方向への水平移動距離Ｌよりも小さく、従って、内壁１２の厚みが小さくて前面開口部５の奥行き方向の長さが小さくても対応できるのに加えて、下方側へは多く突出しやや高めとなるので、洗顔やうがい時における使用済散水を広範囲に亘って受け止めることができる。
【００１０】
尚、係止具１０はこの実施形態の構造に限定されることなく、例えば、洗面用ボール７と共に軸１７が所定角度回転することによって軸１７に設けた係止突起が引掛かって回転止めされるような構造とすることも可能である。又、洗面用ボール７の凹面が斜め上方を向いて手洗いの状態で係止する構造としては、洗面用ボール７の下端側の裏面が突出部１５の中央部の上面に当たって載置される構造としてもよい。
【００１１】
前記洗面用ボール７の底面に設けた排出口８は排出ダクト９を介して前記内壁１２内に配管されている配水管２２と連通しているので、洗面用ボール７が軸１７を中心に回転して移動した場合であってもそれに追随して排水できるようになっている。又、前記室内側の壁面２の洗面用化粧台１の取付場所により上方には必要に応じて鏡２３が掛けられており、又、その下方には前記配水管２２や蛇口６に水を送る給水・給湯管２４の点検のための点検口２５が形成されている。
【００１２】
本発明の実施形態の洗面用化粧台１は上記のような構成であるので、例えば、図６に示すような２階のトイレ２５の出入口２６前方の狭い廊下２７の内壁１２の壁面２に取り付ける場合には、壁面２に凹部３を形成するだけで容易に取り付けできる。又、図４に示すような手洗い時には、洗面用ボール７を壁面２からほとんど突出していないそのままの状態で使用できる。この場合、洗面用ボール７は斜め上方を向いているので、手を差し入れ易く散水は全て洗面用ボール７の凹面上に落下する。従って、廊下等のスペースが狭くても邪魔になることがなく有効に室内を利用できる。加えて、洗顔やうがいをするような場合に散水範囲が広い場合には、図５に示すように洗面用ボール７を回転移動させて凹面がほぼ水平方向となる位置で係止具１０で停止することによって、床面に水を落下させることを防止できる。加えて、頭を壁面２に接近させることもないので、ぶつけることなく行える。
又、洗面用ボール７の側方に把手１８を設けた場合には、回転移動させるのが容易である。更に又、係止具１０として洗面用ボール７の外側面に設けた引掛爪１９と前記ケーシング４に設けた被係止材２０を用いた場合には簡単な構成となり、取付施工が容易で且つ安価である。
【産業上の利用可能性】
【００１３】
この発明の洗面用化粧台は狭い住宅空間において有効に利用できる。
【図面の簡単な説明】
【００１４】
【図１】この発明の実施形態の洗面用化粧台を壁体に嵌め込んだ状態の断面説明図。
【図２】図１の要部拡大説明図。
【図３】洗面用化粧台を設置した壁面状態図。
【図４】手洗い状態の概略説明図。
【図５】洗顔状態の概略説明図。
【図６】洗面用化粧台を設置した場所の見取図。
【図７】従来の洗面用化粧台を設置した壁面状態図。
【符号の説明】
【００１５】
１    洗面化粧台
２    壁面
３    凹部
４    ケーシング
５    前面開口部
６    蛇口
７    洗面用ボール
８    排水口
９    排水ダクト
１０  係止具
【図１】
2008014071.tif 000003
【図２】
2008014071.tif 000004
【図３】
2008014071.tif 000005
【図４】
2008014071.tif 000006
【図５】
2008014071.tif 000007
【図６】
2008014071.tif 000008
【図７】
2008014071.tif 000009